【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
補助遊技に関連する情報を表示する表示装置と、遊技球の入賞によって前記補助遊技の実行条件を成立させる第１及び第２の始動入賞領域とを備え、前記実行条件の成立によって実行された補助遊技の結果に対応して遊技者に特典を付与する特別遊技状態が発生する遊技機であって、
遊技を統括的に制御すると共に、前記表示装置の表示を制御するための表示制御信号を送信する遊技制御装置と、
前記遊技制御装置から送信された表示制御信号に基づいて前記表示装置の表示を制御する表示制御装置と、を備え、
前記遊技制御装置は、
前記第１の始動入賞領域への入賞によって成立した前記補助遊技の実行条件の回数を、第１の始動入賞数として所定の上限数を限度に記憶する第１始動入賞数記憶手段と、
前記第２の始動入賞領域への入賞によって成立した前記補助遊技の実行条件の回数を、第２の始動入賞数として所定の上限数を限度に記憶する第２始動入賞数記憶手段と、
前記第１若しくは第２の始動入賞領域への入賞を契機に、前記第１又は第２の始動入賞数を特定可能な始動入賞数特定情報を、前記表示制御信号として前記表示制御装置に送信する始動入賞数通知手段と、
前記第１又は第２の始動入賞数を一つ減じて１回の補助遊技を実行する処理を行なう補助遊技実行手段と、
前記第１始動入賞数記憶手段及び第２始動入賞数記憶手段に記憶された始動入賞数を停電時にも保持する保持手段と、
を備え、
前記補助遊技実行手段は、
前記第２の始動入賞領域への入賞に基づく補助遊技を、前記第１の始動入賞領域への入賞に基づく補助遊技より優先して実行し、
前記表示制御装置は、
受信した前記始動入賞数特定情報に基づいて、始動入賞数を前記表示装置に表示させる制御を行ない、
前記第２の始動入賞領域への入賞に対応する変動表示ゲームの制御を指示する制御指令に対応する始動入賞数特定情報を受信した場合には、該受信した始動入賞数特定情報に基づく値を表示し、
前記遊技制御装置は、
停電復帰後に、前記第１の始動入賞数を特定する始動入賞数特定情報を、前記第２の始動入賞数を特定する始動入賞数特定情報より先に送信することを特徴とする遊技機。
【手続補正２】
【補正対象書類名】明細書
【補正対象項目名】０００３
【補正方法】変更
【補正の内容】
【０００３】
この特許文献１に記載された遊技機では、停電復帰直後に、主制御部からサブ制御部に対して、変動保留数コマンドを送信しているので、サブ制御部のバックアップを必要としない構成を実現している（特許文献１の段落［００４４］参照）。
前述した特許文献１に記載された遊技機では、段落［００４７］から［００５２］に記載されているように、特図Ａと特図Ｂの両方の保留数のコマンドを、停電復帰直後に送信している。従って、停電復帰時には、特図Ａと特図Ｂの両方の保留数のコマンドを送信するため処理が複雑になる。また、この処理のための時間分、停電復帰処理の時間が長くなる。
なお、この特許文献１では、停電復帰時に特図保留数（８ビット程度）のみを送信しているが、実際には、停電復帰のためにより多くの情報が必要となる。そのため、停電復帰時に送る情報をなるべく少なくして、停電復帰時の処理時間を短縮することが望まれている。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は、停電から復帰した場合に、正常な状態に復帰させることができる遊技機を提供することを目的とする。
【手続補正６】
【補正対象書類名】明細書
【補正対象項目名】０００８
【補正方法】変更
【補正の内容】
【０００８】
本発明は、補助遊技に関連する情報を表示する表示装置と、遊技球の入賞によって前記補助遊技の実行条件を成立させる第１及び第２の始動入賞領域とを備え、前記実行条件の成立によって実行された補助遊技の結果に対応して遊技者に特典を付与する特別遊技状態が発生する遊技機であって、遊技を統括的に制御すると共に、前記表示装置の表示を制御するための表示制御信号を送信する遊技制御装置と、前記遊技制御装置から送信された表示制御信号に基づいて前記表示装置の表示を制御する表示制御装置と、を備え、前記遊技制御装置は、前記第１の始動入賞領域への入賞によって成立した前記補助遊技の実行条件の回数を、第１の始動入賞数として所定の上限数を限度に記憶する第１始動入賞数記憶手段と、前記第２の始動入賞領域への入賞によって成立した前記補助遊技の実行条件の回数を、第２の始動入賞数として所定の上限数を限度に記憶する第２始動入賞数記憶手段と、前記第１若しくは第２の始動入賞領域への入賞、又は前記補助遊技の実行を契機に、前記第１又は第２の始動入賞数を特定可能な始動入賞数特定情報を、前記表示制御信号として前記表示制御装置に送信する始動入賞数通知手段と、前記第１又は第２の始動入賞数を一つ減じて１回の補助遊技を実行する処理を行なう補助遊技実行手段と、前記第１始動入賞数記憶手段及び第２始動入賞数記憶手段に記憶された始動入賞数を停電時にも保持する保持手段と、を備え、前記補助遊技実行手段は、前記第２の始動入賞領域への入賞に基づく補助遊技を、前記第１の始動入賞領域への入賞に基づく補助遊技より優先して実行し、前記表示制御装置は、受信した前記始動入賞数特定情報に基づいて、始動入賞数を前記表示装置に表示させる制御を行ない、前記第２の始動入賞領域への入賞に対応する変動表示ゲームの制御を指示する制御指令に対応する始動入賞数特定情報を受信した場合には、該受信した始動入賞数特定情報に基づく値を表示し、前記遊技制御装置は、停電復帰後に、前記第１の始動入賞数を特定する始動入賞数特定情報を、前記第２の始動入賞数を特定する始動入賞数特定情報より先に送信する。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】変更
【補正の内容】
【００１５】
本発明によれば、停電から復帰した場合に、正常な状態に復帰させることができる。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】